(57)【要約】【課題】見付け方向に障子が移動する引き戸式において、下枠における止水性を簡易に確保し、障子の移動の抵抗にもならない止水構造を有する開口部装置を提供する。【解決手段】上枠（１１）、下枠（１４）、及び縦枠（２１）が枠組みされた枠体（１０）と、枠体の枠組み内に配置され、見付け方向左右に移動する障子（３５）と、を備え、下枠には該下枠の面に対して凸部を形成する下枠止水部材（１７）が具備され、障子には、下枠に対して所定の間隙を有するとともに、閉鎖の姿勢で下枠止水部材に接触する障子止水部材（３９）が設けられる。【選択図】図１１
2014109127.tif 000002
【特許請求の範囲】
【請求項１】
上枠、下枠、及び縦枠が枠組みされた枠体と、
前記枠体の枠組み内に配置され、見付け方向左右に移動する障子と、を備え、
前記下枠には該下枠の面に対して凸部を形成する下枠止水部材が具備され、
前記障子には、前記下枠に対して所定の間隙を有するとともに、閉鎖の姿勢で前記下枠止水部材に接触する障子止水部材が設けられる、開口部装置。
【請求項２】
前記下枠止水部材は前記下枠に配置されるとともに、前記障子止水部材は前記障子の下端出隅部に設けられる請求項１に記載の開口部装置。
【請求項３】
前記障子の下端にはガイド片が設けられるとともに、前記下枠には前記ガイド片をガイドするガイド溝が形成されており、
前記下枠止水部材は前記ガイド溝の溝幅を狭くするように突出し、前記障子止水部材が前記下枠止水部材に接触することにより前記障子が見込み方向に移動して止水がされる請求項１又は請求項２に記載の開口部装置。
【請求項４】
前記障子は、前記上枠に吊られることにより保持される請求項１乃至３のいずれか１項に記載の開口部装置。
【請求項５】
前記上枠には、前記障子の閉鎖の姿勢の位置で前記障子の戸先近傍に止水部材が配置される請求項１乃至４のいずれか１項に記載の開口部装置。
【請求項６】
前記上枠には、前記障子の閉鎖の姿勢の位置で前記障子の戸先近傍に止水部材が配置され、前記止水部材は前記障子を吊るための吊り車を装着するための切り欠きに取り付けられる請求項４に記載の開口部装置。
【発明の詳細な説明】
【技術分野】
【０００１】
本発明は、建物の開口部に配置される開口部装置に関する。
【背景技術】
【０００２】
建物の屋内外や隣接する部屋間を連通する建物の開口部には、開口部を開放及び閉鎖する開口部装置が備えられている。この開口部装置には建物の開口部の縁に沿って固定された枠体と、該枠体の枠組みされた枠内に配置される開閉可能な障子と、が具備されており、障子の移動、回動や揺動により開口部の開放及び閉鎖ができるように構成されている。
【０００３】
見付け方向左右に障子を移動させて開口部を開放、及び閉鎖するいわゆる引き戸式の開口部装置では、障子を案内する手段が下枠に設けられるため下枠の構造が複雑となり、止水性を確保することが困難であった。
【０００４】
一方近年では、住宅や公共施設等の建物においていわゆるバリアフリー化が進められており、建物利用者の利便性、安全性が高められている。このバリアフリー化の１つとして隣接する一方の部屋と他方の部屋との床の高さを同じ、又は床の高さの差を小さく抑えた構造が提供されている。このような構造は浴室、及び該浴室に隣接する更衣室に対しても採用されている。
【０００５】
浴室に開口部装置を配置する際には、浴室の性質上、多量の水を使用するため、水が浴室から隣接する部屋（更衣室など）に流出することを防止する必要がある。ところが、バリアフリー化により、水が流出しやすい構造となるため、引き戸式の開口部装置についても止水性を高める必要性がさらに高くなり、例えば特許文献１のように防水性（止水性）向上のための構造が提案されるようになった。
【先行技術文献】
【特許文献】
【０００６】
【特許文献１】特開２００５−１２０６１１号公報
【発明の概要】
【発明が解決しようとする課題】
【０００７】
しかしながら、従来の技術では止水のための構造が複雑であったり、障子の開閉の抵抗となったりして、改善の必要があった。また止水性についてのさらなる向上の要望もあった。
【０００８】
そこで本発明は、見付け方向に障子が移動する引き戸式において、下枠における止水性を簡易に確保し、障子の移動の抵抗にもならない止水構造を有する開口部装置を提供することを課題とする。
【課題を解決するための手段】
【０００９】
以下、本発明について説明する。なお、本発明の理解を容易にするために添付図面の参照符号を括弧書きにて付記するが、それにより本発明が図示の形態に限定されるものではない。
【００１０】
請求項１に記載の発明は、上枠（１１）、下枠（１４）、及び縦枠（２１）が枠組みされた枠体（１０）と、枠体の枠組み内に配置され、見付け方向左右に移動する障子（３５）と、を備え、下枠には該下枠の面に対して凸部を形成する下枠止水部材（１７）が具備され、障子には、下枠に対して所定の間隙を有するとともに、閉鎖の姿勢で下枠止水部材に接触する障子止水部材（３９）が設けられる、開口部装置（１）である。
【００１１】
請求項２に記載の発明は、請求項１に記載の開口部装置（１）において、障子止水部材（３９）は障子の下端出隅部に設けられる。
【００１２】
請求項３に記載の発明は、請求項１又は２に記載の開口部装置（１）において、障子（３５）の下端にはガイド片（３７ｅ）が設けられるとともに、下枠（１４）にはガイド片をガイドするガイド溝（１６ｇ）が形成されており、下枠止水部材（１７）はガイド溝の溝幅を狭くするように突出し、障子止水部材（３９）が下枠止水部材に接触することにより障子が見込み方向に移動して止水がされる。
【００１３】
請求項４に記載の発明は、請求項１乃至３のいずれか１項に記載の開口部装置（１）において、障子（３５）は、上枠（１１）に吊られることにより保持される。
【００１４】
請求項５に記載の発明は、請求項１乃至４のいずれか１項に記載の開口部装置（１）において、上枠（１１）には、障子（３５）の閉鎖の姿勢の位置で障子の戸先近傍に止水部材（１３）が配置される。
【００１５】
請求項６に記載の発明は、請求項４に記載の開口部装置（１）において、上枠（１１）には、障子（３５）の閉鎖の姿勢の位置で障子の戸先近傍に止水部材（１３）が配置され、止水部材は障子を吊るための吊り車（３８）を装着するための切り欠きに取り付けられる。
【発明の効果】
【００１６】
本発明によれば、見付け方向に障子が移動する引き戸式の開口部装置において、下枠における止水性を簡易に確保し、障子の移動の抵抗にもならない止水構造とすることができる。
【図面の簡単な説明】
【００１７】
【図１】１つの形態に係る開口部装置１の正面図である。
【図２】図１のＩＩ−ＩＩで示した線に沿った水平方向の断面図である。
【図３】図２と同じ視点で障子３０、３５を開放した姿勢の断面図である。
【図４】図１にＩＶ−ＩＶで示した線に沿った鉛直方向の断面図である。
【図５】上枠のうち上枠止水部材１３の部分を表した斜視図である。
【図６】図５のうち上枠止水部材１３の部位をさらに拡大した図である。
【図７】下枠本体１５及びガイド部材１６の断面図である。
【図８】図８（ａ）が下枠のうち下枠止水部材１７が配置された部位に注目した斜視図、図８（ｂ）は図８（ａ）のうち下枠止水部材１７の部位をさらに拡大した図である。
【図９】下枠止水部材１７の斜視図である。
【図１０】障子止水部材３９を説明する図である。
【図１１】障子３５を閉鎖したときの止水について説明する図である。
【発明を実施するための形態】
【００１８】
本発明の上記した作用及び利得は、次に説明する発明を実施するための形態から明らかにされる。以下、本発明を図面に示す実施形態に基づき説明する。なお、ここに示す各図では説明のため一部の部材を省略したり、部材の形状を誇張して表すことがある。
また、以下の説明では、開口部装置が建物開口部に設置された姿勢で、開口部装置により仕切られた部屋から開口部装置を見たときに上下となる方向を見付け方向上下、左右となる方向を見付け方向左右、仕切られた隣接する部屋間の内外方向を見込み方向と記載することがある。さらに、見付け方向左右、見付け方向上下に平行な面を見付け面、見込み方向に平行な面を見込み面と記載することがある。
【００１９】
図１は１つの形態に係る開口部装置１の正面図である。本形態では開口部装置１により浴室と更衣室とを仕切る場合について説明する。図１は浴室側から見た図である。本形態は、２枚の引違い障子３０、３５で開口部分１０ａを閉鎖可能とし、当該障子３０、３５を見付け方向左右に移動して戸袋部分１０ｂに収容することで開口部分１０ａを開放する、いわゆる引き戸式の開口部装置である。
図２は図１にＩＩ−ＩＩで示した水平方向矢視断面図、図３は図２と同じ視点における障子３０、３５を開放した姿勢の断面図、図４は図１にＩＶ−ＩＶで示した鉛直方向矢視断面図である。図４では２枚の障子３０、３５ともに断面で表している。図２乃至図４には併せて浴室側及び更衣室側となる方向を示している。
【００２０】
開口部装置１は、図１乃至図４に表れているように、浴室と浴室外としての更衣室との間の建物開口部における躯体に固定された枠体１０と、該枠体１０の枠内に見付け方向左右に移動可能に設けられた２枚の引違いの障子３０、３５とを有している。
【００２１】
枠体１０は、上枠１１、下枠１４、縦枠２１、及び方立２２を備えて構成されている。
【００２２】
上枠１１は、上枠本体１２及び上枠止水部材１３を含む。
上枠本体１２は、枠体１０の上枠を構成する部材のうち、建物躯体に固定される長尺の部材で、図４に表れる断面を有して長手方向に延びるように形成されている。上枠本体１２は、その長手方向が建物開口部の上縁に沿って配置され、建物躯体に固定されている。
図４からわかるように、本形態の開口部装置１の上枠本体１２は、後述する障子３０、３５の上端に設けられた吊り車３３、３８が載置されて転動するレール１２ａ、１２ｂを備えている。レール１２ａとレール１２ｂとは見込み方向に並べて配列され、それぞれが上枠本体１２の長手方向に沿って見付け方向左右に延びるように形成されている。一方のレール１２ａが障子３０、他方のレール１２ｂが障子３５のためのレールである。
【００２３】
上枠止水部材１３は、上枠本体１２のレール１２ｂに配置される部材で、上枠１１における止水性を向上させる。図５は、上枠止水部材１３が配置された部位で上枠本体１３を切断して示した浴室側からみた斜視図であり、上枠止水部材１３が表れている。図６には図５にＶＩで示した部位を拡大して表した。
【００２４】
上枠止水部材１３は、図１、図５からわかるように（図１には破線でその位置を表している。）、上枠本体１２の長手方向のうち、浴室側のレール１２ｂに配置され、浴室側の障子３５が閉鎖の姿勢においてその召し合わせ框３７ｄが接触する部位に設けられている。
上枠止水部材１３の形状は、図６に表れているようにブロック状であり、これが２つのレール１２ｂ間を埋めるように挿入して配置される。上枠止水部材１３をこのように上枠本体１２に取り付けるために、上枠本体１２のレール１２ｂに切り欠きを設けてもよい。さらに、この切り欠きは、障子３５の吊り車３８をレール１２ｂの上面に配置するための切り欠きを兼用して用いることが好ましい。これによれば、切り欠きを設ける工程も増やすことがなく生産性がよい。
【００２５】
上枠止水部材１３によれば、障子３５の閉鎖の姿勢で召し合わせ框３７ｄと接触し、配置された部位における２つのレール１２ｂ間を塞ぐので止水性を高めることができる。また、上枠止水部材１３は障子３５の開閉に対しては何ら作用しない位置に配置されているので、障子３５の開閉の抵抗となることがない。
【００２６】
図１乃至図４に戻って、下枠１４について説明する。下枠１４は、下枠本体１５、ガイド部材１６、下枠止水部材１７、パッキン１８、端部止水部材１９、及びスロープ２０を具備して形成されている。
【００２７】
下枠本体１５は、枠体１０の下枠を構成する部材のうち、建物躯体に固定される長尺の部材である。図７には下枠本体１５及びガイド部材１６の断面図を示した。図７は図４と同じ視点である。下枠本体１５は図４、図７に表れる断面を有して長手方向に延びるように形成され、その長手方向が建物開口部の下縁に沿って配置され、建物躯体に固定されている。
【００２８】
図４、図７からわかるように、下枠本体１５は、当該断面において見込み方向に延びる片１５ａを有し、該片１５ａの見込方向一方側及び他方側端部からは見付け方向上方に向けて片１５ｂ、１５ｃが立設している。これにより片１５ａを底、片１５ｂ、１５ｃを壁とする凹部１５ｄが形成されている。凹部１５ｄの所定の位置には片１５ａから見付け方向上方に向けて片１５ｅが立設されている。
【００２９】
また下枠本体１５には、浴室側に配置される片１５ｂから見込み方向浴室側に延びる片１５ｇが設けられている。なお、片１５ｂにはスロープ２０を引っ掛けて保持する係止片１５ｈが具備されている。ここに取り付けられるスロープ２０は図１乃至図３からわかるように開口部分１０ａ側にのみ設けられているので、片１５ｇも下枠本体１５のうち開口部分１０ａにのみ具備されていればよい。
【００３０】
一方、片１５ｃの更衣室側には、溝１５ｉが設けらている。
さらに、溝１５ｉの更衣室側壁を形成する片からは更衣室側に向かって見込み方向に延びる片１５ｊが具備されている。
【００３１】
ガイド部材１６は、枠体１０の下枠を構成する部材のうち、下枠本体１５の凹部１５ｄ内に装着及び離脱できるように構成された長尺の部材で、図４、図７に表れる断面を有して長手方向に延びるように形成されている。図３にはガイド部材１６の長手方向が表れている。
本形態ではガイド部材１６は、後述する障子３０、３５の下端に設けられたガイド片３２ｅ、３７ｅが挿入され、該ガイド片３２ｅ、３７ｅをガイドする溝であるガイド溝１６ｃ、１６ｇを形成する。
【００３２】
本形態では、図４、図７からわかるように、ガイド部材１６は、当該断面において見込方向に延びる片１６ａ、１６ｂを有し、片１６ａと片１６ｂとは見込み方向に所定の間隔を有して並べるように配列されている。本形態では更衣室側に片１６ａ、浴室側に片１６ｂが配置されている。そして当該間隔にガイド溝１６ｃが形成されており、該ガイド溝１６ｃにより片１６ａと片１６ｂとが連結されている。またガイド溝１６ｃの開口の縁部にはパッキンを具備している。
片１６ａの更衣室側の端部、及び片１６ｂの浴室側の端部からは見付け方向で下枠本体１５の片１５ａに向けて片１６ｄ、１６ｅが延びている。さらに片１６ｄの更衣室側からは更衣室側に向けて見込み方向に片１６ｈが延在する。
【００３３】
図４、図７からわかるように、ガイド部材１６は、下枠本体１５の凹部１５ｄの内側に載置される。このとき、ガイド部材１６の片１６ｅ、片１６ｄの下端が下枠本体１５の凹部１５ｄの底を形成する片１５ａに載せられるように配置される。その際にはガイド部材１６は凹部１５ｄのうち更衣室側に寄せられる。これにより、浴室側において片１６ｅと片１５ｂとの間に間隙を形成することができ、この間隙がガイド溝１６ｇとなる。
ガイド部材１６を下枠本体１５に装着した姿勢では、図４、図７からわかるように、下枠本体１５の片１５ｅと片１５ｃとの間に、ガイド部材１６の片１６ｄ、片１６ｈが配置され、片１６ｄが片１５ｅに、片１６ｈの更衣室側の端部が片１５ｃにそれぞれ接触可能に位置づけられる。これにより、ガイド部材１６が見込み方向に移動してしまうことを制限し、ガイド溝１６ｃの位置決め及びガイド溝１６ｇの維持が図られる。
【００３４】
一方、ガイド部材１６の長手方向については、図３によく表れているようにガイド部材１６の長手方向が下枠本体１５の凹部１５ｄの長手方向に沿うように配置される。このとき、ガイド部材１６の端部のうち開口部分１０ａ側の端部は、片１６ｂの端面が縦枠２１の見込み面２１ａに突き当てられる。一方、片１６ａは片１６ｂより短くされているので、縦枠２１と片１６ａとの間には間隙が形成される。これにより、片１６ｂと縦枠２１との接触により止水性が確保される。また片１６ａと縦枠２１との間の間隙に使用者は指を差し入れる等してガイド部材１６を着脱することができる。
【００３５】
ガイド部材１６の下枠本体１５からの離脱は、ガイド部材１６は下枠本体１５に載置されているだけなので、容易におこなうことができる。ガイド部材１６を下枠本体１５から離脱すれば平滑部分が多くて清掃がしやすい。凹部１５ｄには不図示の排水手段が設けられており、適切な排水も速やかに行われる。
【００３６】
次に下枠止水部材１７について説明する。下枠止水部材１７は、図３に表れているように、下枠１４のガイド部材１６のうち、片１６ｂに配置される部材で、下枠１４と障子３５との間における止水性を向上させる。図８（ａ）には、下枠止水部材１７が配置された部位で下枠１４を切断して示した浴室側からみた斜視図を表した。また、図８（ｂ）には、図８（ａ）のうち下枠止水部材１７が配置された部位を拡大して示した。さらに図９には、下枠止水部材１７の斜視図を示した。
【００３７】
下枠止水部材１７は、図１、図３、図８（ａ）等からわかるように（図１には破線でその位置を表している。）、下枠１４のガイド部材１６の長手方向のうち、浴室側のガイド溝１６ｇを形成する片１６ｂ及び片１６ｅに配置され、浴室側の障子３５が閉鎖の姿勢においてその召し合わせ框３７ｄが上に乗る部位に配置されている。
【００３８】
下枠止水部材１７は、図９からわかるように、２枚の板材１７ａ、１７ｂが一端を共有して略直角に配置されている。従って下枠止水部材１７はＬ字型の断面形状を有している。また、下枠止水部材１７は、見付け方向左右（図９にＡで示した方向、下枠止水部材１７がガイド部材１６に配置された姿勢で開口部装置１の見付け方向左右）の中央で、板厚が厚い領域１７ａ’、１７ｂ’を有している。板材１７ａ、１７ｂの縁から領域１７ａ’、１７ｂ’までは傾斜面となっている。
【００３９】
このような下枠止水部材１７は、図３、図８（ａ）、図８（ｂ）に表れているように配置される。すなわち、２枚の板材のうち、一方の板材１７ａがガイド部材１６の片１６ｂに重ねられるとともに、他方の板材１７ｂがガイド部材１６の片１６ｅに重ねられる。従って、板材１７ａは片１６ｂの上面から板厚分突出し、板材１７ｂは片１６ｅからガイド溝１６ｇに板厚分突出するように配置される。下枠止水部材１７の止水作用については障子３５と関係するので、後で説明する。
【００４０】
下枠止水部材１７は、止水性能を有するとともに、その上を障子３５の召し合わせ框３７ｄが摺動する観点から硬質の樹脂やゴムにより形成されていることが好ましい。
【００４１】
図１乃至図４に戻りパッキン１８について説明する。パッキン１８は、図４にその断面形状が表れ、図２、図３に長手方向の態様が示されている。すなわち、パッキン１８は、その下部が下枠本体１５の溝１５ｉに挿入され、上部が溝１５ｉから上枠１１側に向けて上方に突出するように配置され、止水をする機能を有する。パッキン１８の当該突出する上部は、中空の断面形状を備えていることが好ましい。これにより、人が踏むなどして倒れても再び起立する性能を高めることができる。パッキン１８は、人が踏むことや再び起立する必要がある観点から樹脂やゴム等により形成されることが好ましい。
【００４２】
一方、パッキン１８の長手方向は図２、図３に表れているように、その両端が２つの縦枠２１の見込み面２１ａ、又はその近くにまで達するように延在する。すなわち、パッキン１８は、下枠本体１５の概ね全長に亘って延在するように下枠本体１５に取り付けられる。このとき、パッキン１８の浴室側の面（見付け面）のうち、パッキン１８の両端部のそれぞれが、縦枠２１の片２１ｂの更衣室側の面（見付け面）に対向するように配置される。これにより後述するようにパッキン１８の両端部を縦枠２１と端部止水部材１９とで挟むように配置することが可能となる。
【００４３】
端部止水部材１９は、下枠本体１５と縦枠２１とにより形成される入隅部の止水性を向上するとともに、起立すべきパッキン１８が倒れたままの姿勢となることを防止する。端部止水部材１９は止水性、及びパッキン１８の保持の観点から硬質の樹脂又はゴムにより構成されていることが好ましい。
【００４４】
このような端部止水部材１９は、図２乃至図４に表れるように配置される。すなわち、端部止水部材１９は、下枠本体１５と縦枠２１とが形成する入隅部のうち、更衣室側に配置される。そのとき、端部止水部材１９の浴室側見付け面が、パッキン１８の更衣室側の見付け面の端部に対向するように位置付けられ、パッキン１８の端部を縦枠２１の片２１ｂの見付け面との間に挟むように配置される。
【００４５】
このような端部止水部材１９によれば、パッキン１８の端部が縦枠２１の片２１ｂの見付け面と端部止水部材１９の見付け面との間に挟まれるように配置されるので、いわゆる突き当てによる端面接触よりも止水性を向上させることができる。また、パッキン１８の一方側の見付け面が端部止水部材１９ではなく、剛性が高い縦枠２１の見付け面により保持されているので、パッキン１８の起立を助け、パッキン１８が倒れたままの姿勢になることを従来よりも確実に防止することができる。
【００４６】
図１乃至図４に戻り、下枠１４のスロープ２０について説明する。下枠１４のスロープ２０は、図１乃至図４に表れているように板状の部材であり、更衣室側の端部が下枠本体１５のスロープ取付片１５ｈに係止して取り付けられ、浴室側端部は浴室の床面に近づくように傾斜して配置される。これにより、スロープ２０が下枠本体１５の浴室側の縁部を覆い、下枠１４の上面と浴室の床との段差を滑らかに連結している。一方、スロープ２０の見付け方向左右は、図２、図３からわかるように開口部分１０ａ全体に亘って延在する。
【００４７】
次に縦枠２１について説明する。縦枠２１は、枠体１０の縦枠を構成する長尺の部材で、図２、図３に表れる断面を有して見付け方向上下を長手方向として延びるように形成されている。図１からわかるように、縦枠２１は左右に２つ設けられ、その長手方向が建物開口部の左右縁のそれぞれに沿って配置され、その端部が上枠本体１２の端部と下枠本体１５の端部とを渡すように取り付けられるとともに建物躯体にも固定されている。
本形態では、縦枠２１の見込み面２１ａに下枠本体１５の端部が突き当てられるように組み合わされる。このとき見込み面２１ａと下枠本体１５の端部との間に板状のシール材が挟まれてもよい。
【００４８】
縦枠２１には、必要に応じて複数の片が見付け方向左右に延びるように設けられている。そのうちの１つとして、縦枠２１には、その見込み面２１ａ（図２、図３参照）から、片２１ｂが見付け方向左右のうち枠内側に延びるように設けられている。より詳しくは、片２１ｂは、図２、図３に表れているように、上記した溝１５ｉの浴室側に隣接する位置に、見付け方向左右のうち枠内側に延びるように形成されている。片２１ｂは、図２、図３からわかるように左右両方の縦枠２１にそれぞれに同様に設けられている。一方、片２１ｂは縦枠２１の長手方向に沿って見付け方向上下に延在している。
【００４９】
方立２２は、図１乃至図３からわかるように、図２、図３に示した断面を有して見付け方向上下に延びる部材である。方立２２は２つの縦枠２１間に、該縦枠２１と概ね平行に配置され、上端が上枠本体１２に、下端が下枠本体１５に固定される。また、方立２２は図２、図３に表れているように、上枠本体１２、下枠本体１５のうち、浴室側に寄せられた位置に設置されている。
また、方立２２のうち障子３５に対向する見付け面には気密材２２ａが配置されている。
【００５０】
このように方立２２が２つの縦枠２１間に配置されることにより、上枠１１、下枠１４及び縦枠２１により囲まれた枠内が２つの部位に分割され、一方が開口部分１０ａ、他方が戸袋部分１０ｂとされている。戸袋部分１０ｂには上枠１１、下枠１４、方立２２及び縦枠２１で囲まれる枠内に面材であるパネル４０が固定されている。
【００５１】
次に障子３０について説明する。障子３０は、引き違い障子のうち更衣室側に配置される障子である。従って、障子３０は面材としてのパネル３１を有し、その外周を縁取るように框３２が配置されている。框３２は上框３２ａ、下框３２ｂ、戸先框３２ｃ、召し合わせ框３２ｄが枠組みされている。上框３２ａの上部には吊り車３３が上方に延びるように配置され、下框３２ｂの下部にはガイド片３２ｅが下方に延びるように設けられている。
【００５２】
このような障子３０は、上部に配置された吊り車３３が上枠本体１２のレール１２ａに載置され、下框３２ｂに設けられたガイド片３２ｅが下枠１４のガイド部材１６のガイド溝１６ｃに挿入される。これにより障子３０は、枠体１０内のうち更衣室側において見付け方向左右に移動可能とされる。
【００５３】
一方、障子３５は、引き違い障子のうち浴室側に配置される障子である。従って、障子３５は面材としてのパネル３６を有し、その外周を縁取るように框３７が配置されている。框３７は上框３７ａ、下框３７ｂ、戸先框３７ｃ、召し合わせ框３７ｄが枠組みされている。上框３７ａの上部には吊り車３８が上方に延びるように配置され、下框３７ｂの下部にはガイド片３７ｅが下方に延びるように設けられている。
【００５４】
障子３５はさらに、図１に破線で示したように、召し合わせ框３７ｄのうち、戸先側とは反対側の下端出隅部の見込み面３７ｆ（図１０参照）に障子止水部材３９が備えられている。図１０には、召し合わせ框３７ｄの下端部で、障子止水部材３９が配置された部位に注目し、浴室側からみた斜視図を示した。図１０では、図１０にＢで示した方向が障子３５の戸先となる方向である。
【００５５】
障子止水部材３９は、取付部３９ａ、上面止水部３９ｂ、ガイド溝止水部３９ｃ、及びパッキン３９ｄを備えて構成されている。
取付部３９ａは板状の部材であり、その板面を見込み面３７ｆに重ねて固定される。取付部３９ａにより障子止水部材３９が召し合わせ框３７ｄに保持される。
上面止水部３９ｂは、取付部３９ａの下端に接続され、水平に片１６ｂの上面に沿って見込み方向に延びる板状の部材である。上面止水部３９ｂは、障子３５が閉鎖の姿勢にあるとき以外は、上面止水部３９ｂの下面と片１６ｂの上面とは間隙を有しており、接触しないように位置づけられる。
ガイド溝止水部３９ｃは、上面止水部３９の見込み方向浴室側端部からガイド溝１６ｇの内側に向けて垂下される板状の部材である。ガイド溝止水部３９ｃはガイド溝１６ｇの溝幅より細く形成され、少なくともガイド溝１６ｇの浴室側壁面には接触しないように位置づけられる。
パッキン３９ｄは、ガイド溝止水部３９ｃに一端が取り付けられ、障子３５の戸先側に延在する部材である。パッキン３９ｄは障子３５が閉鎖の姿勢にあるとき以外は、少なくともガイド溝１６ｇの浴室側壁面には接触しないような大きさ及び配置とされる。
【００５６】
このような障子３５は、上部に配置された吊り車３８が上枠本体１２のレール１２ｂに載置され、下框３７ｂに設けられたガイド片３７ｅが下枠１４のガイド部材１６のガイド溝１６ｇに挿入される。これにより障子３５は、枠体１０内のうち浴室側において見付け方向左右に移動可能とされる。
ここで、障子３５は図４に示した開放の姿勢で、図３にＤで示したように、障子３５の召し合わせ框３７ｄの浴室側見付け面が方立２２の気密材２２ａに接触しないように位置づけられることが好ましい。これにより障子３５を開閉する際に気密材２２ａが抵抗とならず、操作性を向上させることができる。
【００５７】
このような障子３０、３５により、図１に示した視点で障子３０が左側、障子３５がその右側に配置され、開口部分１０ａを閉鎖することにより、障子３０、３５、及びパネル４０により建物開口部が閉鎖される。障子３０、３５を見付け方向右側に移動することにより障子３０、３５を戸袋部分１０ｂ側に配置して見込み方向にパネル４０と重ねることにより、開口部分１０ａが開放される。
【００５８】
ここで、障子３５の開閉に際しては、上記説明した各構成が次のように作用する。
図４に示したように、障子３５の開放の姿勢から障子３５を閉鎖する場面を考える。このとき、上枠１１側には上枠止水部材１３が配置されているが、これは障子３５の閉鎖の姿勢で初めて障子３５の召し合わせ框３７ｄに接触するので、障子３５の閉鎖を妨げることはない。一方、下枠１４側では、上記したように障子止水部材３９が召し合わせ框３７ｄの下端出隅に配置されているものの、上面止水部３９ｂ、ガイド溝止水部３９ｃ、及びパッキン３９ｄはいずれも片１６ｂ又はガイド溝１６ｇの浴室側壁とは間隙を有しており、障子３５の閉鎖において大きな抵抗にはならない。従って、障子３５の円滑な閉鎖を行うことができる。
【００５９】
一方、障子３５の閉鎖が完了する場面では、上枠１１については、召し合わせ框３７ｄが上枠止水部材１３に接触して止水性が高められる。
下枠１４については次のようにして止水性が高められる。図１１に説明のための図を示した。図１１は図１０と同じ視点で、障子３５の閉鎖が完了した場面である。すなわち、障子３５の閉鎖の姿勢では、召し合わせ框３７ｄが到達する部位にはガイド部材１６に下枠止水部材１７が設置されている。上記のように下枠止水部材１７は片１６ｂの上面及びガイド溝１６ｇ内面から突出している。障子３５が閉鎖の位置に達すると召し合わせ框３７ｄが下枠止水部材１７の上に乗るように移動する。すると、図１１のように、召し合わせ框３７ｄの下端にある障子止水部材３９の上面止水部３９ｂが下枠止水部材１７の板１７ａに乗り上げて接触する。従ってこれにより上面における止水性が確保される。一方、障子止水部材３９のガイド溝止水部３９ｃが下枠止水部材１７の板１７ｂに乗り上げて、より浴室側に移動させられる（図１１の矢印Ｅ）。すると、これに伴ってパッキン３９ｄも浴室側に移動してガイド溝１６ｇの浴室側壁に接触する。従ってこれによりガイド溝１６ｇの止水性が確保される。
【００６０】
このように開口部装置１によれば、障子の円滑な移動を可能としつつ、簡易に閉鎖の姿勢で高い止水性を確保することができる。なお、本実施例は障子が上枠に吊り車を設けて吊るされているが、下枠に車を設けてもよい。
【符号の説明】
【００６１】
１  開口部装置
１０  枠体
１１  上枠
１２  上枠本体
１３  上枠止水部材
１４  下枠
１５  下枠本体
１６  ガイド部材
１７  下枠止水部材（枠止水部材）
２１  縦枠
２２  方立
３０  障子
３５  障子
３９  障子止水部材
４０  パネル
【図１】
2014109127.tif 000003
【図２】
2014109127.tif 000004
【図３】
2014109127.tif 000005
【図４】
2014109127.tif 000006
【図５】
2014109127.tif 000007
【図６】
2014109127.tif 000008
【図７】
2014109127.tif 000009
【図８】
2014109127.tif 000010
【図９】
2014109127.tif 000011
【図１０】
2014109127.tif 000012
【図１１】
2014109127.tif 000013